(57)【要約】【課題】依頼医がより適切な検査を選択することを可能とする。【解決手段】この検査情報管理装置は、複数の予測病名に対して過去に実施された複数の検査の評価に関する情報を蓄積する検査評価データベースを記録するハードディスク１３１と、検査評価データベースを管理する検査情報管理部２４と、予測病名及び候補の検査を表す情報を含む検査依頼事前情報を取得して、検査評価データベースにおける検査依頼事前情報に基づく検索を検査情報管理部２４に行わせる検査依頼事前情報取得部２５と、検査情報管理部２４によって行われた検索に基づいて、予測病名に対する候補の検査の評価に関する情報を取得する検査内容判定部２６と、検査内容判定部２６によって取得された検査の評価に関する情報を依頼医端末１に出力して、予測病名に対する候補の検査の評価を依頼医端末１に表示させる検査内容妥当性出力部２７とを具備する。【選択図】図１
2008009589.tif 000002
【特許請求の範囲】
【請求項１】
依頼医が依頼する検査について撮影される医用画像に基づいて読影医が読影レポートを作成する際に用いる少なくとも１つの読影レポート作成装置に直接又はネットワークを介して接続され、検査に関する情報を管理して依頼医による検査の選択を支援するための検査情報管理装置であって、
複数の予測病名に対して過去に実施された複数の検査の評価に関する情報を蓄積する検査評価データベースを記録する記録手段と、
前記検査評価データベースを管理する検査情報管理手段と、
依頼医が予測した予測病名及び候補の検査を表す情報を含む検査依頼事前情報を取得して、前記検査評価データベースにおける前記検査依頼事前情報に基づく検索を前記検査情報管理手段に行わせる検査依頼事前情報取得手段と、
前記検査情報管理手段によって行われた検索に基づいて、依頼医が予測した予測病名に対する候補の検査の評価に関する情報を取得する検査内容判定手段と、
前記検査内容判定手段によって取得された検査の評価に関する情報を表示部に出力して、予測病名に対する候補の検査の評価を前記表示部に表示させる検査内容妥当性出力手段と、
を具備する検査情報管理装置。
【請求項２】
依頼医が依頼すべき検査を決定した際に、依頼医が予測した予測病名及び選択された検査を表す情報を含む検査依頼情報を取得する検査依頼情報取得手段と、
依頼医が依頼する検査において撮影される医用画像に基づいて読影レポートを作成する読影医が依頼医による検査の選択に対して行う評価に関する第１の評価情報を前記少なくとも１つの読影レポート作成装置から取得する第１の評価情報取得部と、
依頼医が依頼する検査において撮影された医用画像に基づいて読影医が作成する読影レポートに対して依頼医が行う評価に関する第２の評価情報を取得する第２の評価情報取得部と、
をさらに具備し、前記検査情報管理手段が、前記検査依頼情報と前記第１の評価情報と前記第２の評価情報とに基づいて前記検査評価データベースを作成又は更新する、請求項１記載の検査情報管理装置。
【請求項３】
前記検査依頼事前情報又は前記検査依頼情報が、自己が予測した予測病名が後に確定する確定病名に一致する可能性を依頼医が事前に評価した結果を表す事前確信度情報をさらに含み、
前記第１の評価情報が、依頼医が選択した検査の妥当性を読影医が評価した結果を表す依頼内容適性度情報と、自己が作成した読影レポートにおいて判定した病名が後に確定される確定病名に一致する可能性を読影医が事前に評価した結果を表す読影結果確信度情報とを含み、
前記第２の評価情報が、読影医が作成した読影レポートの有効性を依頼医が評価した結果を表す読影結果有効度情報を含む、
請求項１又は２記載の検査情報管理装置。
【請求項４】
前記検査情報管理装置に直接又はネットワークを介して接続される電子カルテ管理装置から患者の禁忌に関する情報を取得する検査内容取得手段をさらに具備し、前記検査内容判定手段が、前記検査内容取得手段によって取得された患者の禁忌に関する情報に基づいて、選択された検査がその患者にとって避けるべき検査である場合に警告を発生する、請求項１〜３のいずれか１項記載の検査情報管理装置。
【発明の詳細な説明】
【技術分野】
【０００１】
本発明は、医師が患者に対して行う検査内容を決定することを支援するための検査情報管理装置に関する。
【背景技術】
【０００２】
近年、ＣＲ（computed radiography：コンピュータ放射線撮影）、ＭＲＩ（magnetic resonance imaging：磁気共鳴撮影）、ＣＴ（computed tomography：コンピュータ断層撮影）、ＵＳ（ultrasonic imaging：超音波撮影）等の種々の医用画像撮影装置が普及し、用いられるようになってきている。
【０００３】
一般に、医用画像撮影装置を用いた検査が行われた場合には、検査を依頼した担当医（「依頼医」ともいう）による具体的な診断が下される前に、撮影された医用画像について読影医による読影が行われ、読影結果や所見が記入された読影レポートが作成される。従来は、ディジタル画像データが生成された場合においても、読影の際には写真フィルムにハードコピーされた医用画像が用いられていたが、高精細な画像モニタ（ビューワ）の開発に伴い、モニタ上に表示された医用画像を読影することも行われるようになっている。
【０００４】
このように多くの医用画像撮影装置が利用可能になり、患者に対して行う検査の選択肢が増えた事で、検査の選択が医師にとって難しくなってきている。そこで、過去の検査実績を根拠として、検査を選択する場合の指針となる情報を、検査の選択時に医師が参照することができれば便宜である。
【０００５】
下記の特許文献１には、患者の症状を入力する症状入力部と、症状と検査項目との関係を記憶した記憶部と、記憶部に記憶された症状と検査項目との関係に基づき、症状入力部に入力された症状の情報から選択された検査項目候補を表示する検査項目候補表示部と、を備えた臨床検査システムであって、記憶部に記憶された症状と検査項目との関係に関し、症状に対して各々の検査項目が必要度で関連づけられて記憶されていることを特徴とする臨床検査システムが掲載されている。
【０００６】
この臨床検査システムによれば、患者の症状に基づいて検査項目を自動的に抽出することができる。しかしながら、この臨床検査システムを運用して実際に行われた検査の結果を、記憶部に記憶された症状と検査項目との関係に反映することができないので、個々の依頼医や読影医の経験を蓄積することができない。また、この臨床検査システムを運用していくうちに、記憶部に記憶された症状と検査項目との関係の中に有効又は適切ではない関係が存在することが判明することも考えられる。このような場合には、オペレータが、有効又は適切ではない関係を記憶部から削除しなければならず、手間がかかってしまう。
【０００７】
また、下記の特許文献２には、症状別に必要な複数の検査項目の組み合わせを予め記憶した記憶手段と、症状の名称を複数表示する表示手段と、表示された複数の症状の名称からいずれか１つを選択する選択手段とを備え、該選択に応答して、選択された症状に対して行うべき複数の検査項目を記憶手段から読み出し、表示手段に表示するようにしたことを特徴とする検査項目入力装置が掲載されている。
【０００８】
この検査項目入力装置によれば、患者の症状や疾患に応じた適切な検査項目を簡単に入力できる。しかしながら、この検査項目入力装置を用いて実際に行われた検査の結果を、記憶手段に記憶されている症状別に必要な複数の検査項目の組み合わせに反映することができないので、個々の依頼医や読影医の経験や運用施設ごとに培った知見を蓄積することができない。
【特許文献１】特開２００３−２８１２７３号公報（第１頁）
【特許文献２】特開平５−２８２３８４号公報（第１頁）
【発明の開示】
【発明が解決しようとする課題】
【０００９】
そこで、上記の点に鑑み、本発明は、実際に医療現場に携わる個々の依頼医及び／又は読影医の経験を蓄積することによって、より適切な検査を選択することを可能とする検査情報管理装置を提供することを目的とする。
【課題を解決するための手段】
【００１０】
上記課題を解決するため、本発明の１つの観点に係る検査情報管理装置は、依頼医が依頼する検査について撮影される医用画像に基づいて読影医が読影レポートを作成する際に用いる少なくとも１つの読影レポート作成装置に直接又はネットワークを介して接続され、検査に関する情報を管理して依頼医による検査の選択を支援するための検査情報管理装置であって、複数の予測病名に対して過去に実施された複数の検査の評価に関する情報を蓄積する検査評価データベースを記録する記録手段と、検査評価データベースを管理する検査情報管理手段と、依頼医が予測した予測病名及び候補の検査を表す情報を含む検査依頼事前情報を取得して、検査評価データベースにおける検査依頼事前情報に基づく検索を検査情報管理手段に行わせる検査依頼事前情報取得手段と、検査情報管理手段によって行われた検索に基づいて、依頼医が予測した予測病名に対する候補の検査の評価に関する情報を取得する検査内容判定手段と、検査内容判定手段によって取得された検査の評価に関する情報を表示部に出力して、予測病名に対する候補の検査の評価を前記表示部に表示させる検査内容妥当性出力手段とを具備する。
【発明の効果】
【００１１】
本発明によれば、依頼医が患者に対してどのような検査を行えば良いのかを決定するための指針となる情報として、実際に過去に実施された検査に対する評価が反映された情報が依頼医端末において表示される。従って、依頼医は、より適切な検査を選択することが可能となる。
【発明を実施するための最良の形態】
【００１２】
以下、本発明を実施するための最良の形態について、図面を参照しながら詳しく説明する。なお、同一の構成要素には同一の参照番号を付して、説明を省略する。
図１は、本発明の第１の実施形態に係る検査情報管理装置を含む医療情報管理システムの構成を示すブロック図である。
【００１３】
図１に示すように、この医療情報管理システムは、依頼医端末１と、電子カルテ管理装置２と、検査発行装置３と、検査者端末４と、撮影モダリティ５と、画像サーバ６と、読影レポート作成装置７と、読影レポート管理装置８と、病院長端末９と、本発明の第１の実施形態に係る検査情報管理装置１０とを含んでいる。撮影モダリティ５は、ＣＲ（computed radiography：コンピュータ放射線撮影）装置５ａ、ＣＴ（computed tomography：コンピュータ断層撮影）装置５ｂ、ＭＲＩ（magnetic resonance imaging：磁気共鳴撮影）装置５ｃ、ＵＳ（ultrasonic imaging：超音波撮影）装置５ｄを含んでいる。これらの装置は、ＬＡＮ（ローカル・エリア・ネットワーク）等のネットワークを介して相互に接続されている。或いは、検査情報管理装置１０と、依頼医端末１、電子カルテ管理装置２、検査発行装置３、検査者端末４、撮影モダリティ５、画像サーバ６、読影レポート作成装置７、又は、読影レポート管理装置８とを直接接続しても良い。
【００１４】
依頼医端末１は、検査を依頼する依頼医（例えば、内科医等）が使用するＰＣ（パーソナルコンピュータ）等であり、本体部１ａと、表示部１ｂと、入力部１ｃとを備えている。依頼医は、依頼医端末１を操作することにより、検査の依頼、読影レポートの閲覧、電子カルテの入力等を行う。なお、依頼医端末１が、本体部１ａ、表示部１ｂ、及び、入力部１ｃに加えて、医用画像を表示するための高精細なディスプレイ（ビューワ）を更に備えていても良い。
【００１５】
電子カルテ管理装置２は、電子カルテデータベース（ＤＢ）２ａを格納するための記録媒体を備えている。電子カルテデータベース２ａは、複数のケースの電子カルテデータを蓄積している。電子カルテには、公費負担番号、公費負担医療の受給者番号、保険者番号、患者名、診断、処置内容等の情報が含まれる。電子カルテの情報は、依頼医端末１において依頼医により入力され、電子カルテデータベース２ａに蓄積される。
【００１６】
検査発行装置３は、検査を管理するための装置であり、依頼医端末１において入力された患者情報や検査内容等の情報に基づいて、検査スケジュールの管理や、撮影モダリティ５への検査のオーダーや、撮像が終了した検査について読影のオーダー（読影依頼）を行う。
【００１７】
検査者端末４は、医用画像の撮影を実行する検査者（例えば、検査医、撮影技師等）が使用するＰＣ等である。検査者は、検査者端末４を操作することにより、検査の依頼があったことを知ることができる。検査者は、検査の依頼を受けると、撮影モダリティ５の内の検査内容に応じたモダリティを用いて、医用画像の撮影を行う。撮影モダリティ５によって取得された画像データは、画像サーバ６に送信される。
【００１８】
画像サーバ６は、撮影モダリティ５によって取得された画像データを保管及び管理するＰＡＣＳ（Picture Archiving and Communication System：医用画像情報システム）用のサーバである。画像サーバ６は、読影レポート管理装置８の要求に従って、所望の画像データを読影レポート管理装置８に出力する。
【００１９】
読影レポート作成装置７は、撮影モダリティ５によって取得された画像データに基づく画像の読影を行う読影医が使用するＰＣ等である。読影レポート作成装置７は、医用画像を表示するための高精彩ディスプレイ（ビューワ）を備えている。
【００２０】
読影レポート管理装置８は、読影レポートデータベース８ａを格納するための記録媒体を備えている。読影レポートデータベース８ａは、過去に作成された読影レポートを表す読影レポートデータを蓄積している。読影レポートデータには、読影レポートＩＤ、患者ＩＤ、患者名、検査ＩＤ、読影医による所見として表示されるテキスト情報（所見データ）等が含まれている。読影レポートは、読影レポート作成装置７において読影医により入力され、読影レポートデータベース８ａに蓄積される。また、読影レポート管理装置８は、依頼医端末１の要求に従って、所望の読影レポートデータを依頼医端末１に出力する。
病院長端末９は、病院長が使用するＰＣ等である。
【００２１】
検査情報管理装置１０は、中央演算装置（以下、ＣＰＵという）２０と、各種のデータ等を一旦記憶するメモリ１２０と、記録媒体としてのハードディスク１３１を制御するハードディスク制御部１３０と、ネットワークインタフェース１４０とを含んでいる。これらは、バスラインを介して相互に接続されている。また、ＣＰＵ２０は、ネットワークインタフェース１４０を介して、ネットワークに接続される。なお、本実施形態においては、検査情報管理装置１０を独立した装置としているが、検査情報管理装置１０を、依頼医端末１又は読影レポート管理装置８の一部として実現することも可能である。
【００２２】
ハードディスク１３１には、ＣＰＵ２０に処理を行わせるためのソフトウェア（プログラム）の他に、依頼医端末１において依頼医が検査の依頼前に入力する検査内容や予測病名や事前確信度等を含む検査依頼情報を蓄積するための検査依頼情報データベースと、読影レポート作成装置７において読影医が読影の際に入力する読影医検査評価情報を蓄積するための読影医検査評価情報データベースと、依頼医端末１において依頼医が診断を行う（病名を確定する）際に入力する依頼医検査評価情報を蓄積するための依頼医検査評価情報データベースとが記録されている。さらに、ハードディスク１３１には、検査依頼情報データベースと読影医検査評価情報データベースと依頼医検査評価情報データベースとに基づいて生成された検査妥当性評価データベースも記録されている。本願においては、これらのデータベースをまとめて、「検査評価データベース」と呼ぶことにする。
【００２３】
なお、記録媒体としては、内蔵のハードディスク１３１以外に、外付けハードディスク、フレキシブルディスク、ＭＯ、ＭＴ、ＲＡＭ、ＣＤ−ＲＯＭ、又は、ＤＶＤ−ＲＯＭ等を用いることもできる。
【００２４】
図２は、検査依頼情報データベースの例を示す図である。図２に示すように、検査依頼情報は、読影レポートを一意に特定するための読影レポートＩＤ、依頼医名、検査を一意に特定するための検査ＩＤ、検査種、検査内容、予測病名、及び、事前確信度を含んでいる。ここで、事前確信度について説明する。依頼医は、患者の診察の際に、患者の主訴や症状等を依頼医端末１において電子カルテに入力すると共に、予測病名、及び、診断を行う（病名を確定する）ために適正であると考える検査内容を依頼医端末１に入力する。さらに、依頼医は、予測病名が正しい（予測病名と確定病名とが同じとなる）ことに対する確信の度合いを１〜３の値で表す事前確信度を、依頼医端末１に入力する。本実施形態においては、依頼医が、予測病名が正しい可能性が高いと考えている場合に、事前確信度として「３」を入力し、予測病名が正しい可能性があると考えている場合に、事前確信度として「２」を入力し、予測病名が正しい可能性が否定できないと考えている場合に、事前確信度として「１」を入力するものとする。このように依頼医端末１において入力された予測病名、検査内容、及び、事前確信度は、依頼医端末１から検査情報管理装置１０に送信され、検査依頼情報データベースに蓄積される。なお、検査ＩＤは、検査発行装置３により決定され、読影レポートＩＤは、読影レポート管理装置８により決定される。
【００２５】
図３は、読影医検査評価情報データベースの例を示す図である。図３に示すように、読影医検査評価情報は、読影レポートＩＤ、所見、読影医診断（読影医により決定された病名）、読影医名、依頼内容適正度、及び、読影結果確信度を含んでいる。ここで、依頼内容適正度及び読影結果確信度について説明する。依頼医による検査依頼に基づいて撮影モダリティ５において医用画像の撮影が行われた後に、読影医が、読影レポート作成装置７において、ビューワに表示された医用画像に基づいて読影レポートの作成を行う。さらに、読影医は、読影レポートの作成に際し、依頼医が依頼した検査内容が読影医診断（病名）を決定するために適正であったか否かの度合いを１〜３の値で表す依頼内容適正度と共に、読影結果が正しい（読影医診断が確定病名となる）と確信する度合いを１〜３の値で表す読影結果確信度を、読影レポート作成装置７に入力する。本実施形態においては、読影医が、依頼医が依頼した検査内容が適正であったと判断する場合に、依頼内容適正度として「３」を入力し、依頼医が依頼した検査内容が適正であったことを否定できないと判断する場合に、依頼内容適正度として「２」を入力し、依頼医が依頼した検査内容が適正ではなかったと判断する場合に、依頼内容適正度として「１」を入力するものとする。また、読影医が、読影結果が正しいと確信する度合いが高い場合に、読影結果確信度として「３」を入力し、読影結果が正しい可能性があると判断する場合に、読影結果確信度として「２」を入力し、読影結果に正しいと確信する度合いが低い場合に、読影結果確信度として「１」を入力するものとする。このように読影レポート作成装置７において入力された依頼内容適正度及び読影結果確信度は、ネットワークを介して、読影レポート作成装置７から検査情報管理装置１０に送信され、読影医検査評価情報データベースに蓄積される。
【００２６】
図４は、依頼医検査評価情報データベースの例を示す図である。図４に示すように、依頼医検査評価情報は、読影レポートＩＤ及び読影結果有効度を含んでいる。読影医により読影レポートが作成されると、依頼医が、依頼医端末１において、読影レポートを参照しながら診断を行う（病名を確定する）。さらに、依頼医は、読影レポートが診断を行うために有効であったか否かの度合いを１〜３の値で表す読影結果有効度を、依頼医端末１に入力する。本実施形態においては、依頼医が、読影レポートが診断を行うために非常に有効であったと判断する場合に、読影結果有効度として「３」を入力し、読影レポートが診断を行うために有効であったと判断する場合に、読影結果有効度として「２」を入力し、読影レポートが診断を行うために有効ではなかったと判断する場合に、読影結果有効度として「１」を入力するものとする。このように依頼医端末１において入力された読影結果有効度は、依頼医端末１から検査情報管理装置１０に送信され、依頼医検査評価情報データベースに蓄積される。
【００２７】
図５は、検査妥当性評価情報データベースの例を示す図である。図５に示すように、検査妥当性評価情報データベースは、予測病名と、事前確信度と、検査内容と、それらについて過去において行われた複数の検査に関する依頼内容適正度の平均値と、それらの検査に関する読影結果確信度の平均値と、それらの検査に関する読影結果有効度の平均値とを含んでいる。
【００２８】
即ち、検査内容、予測病名、及び、事前確信度の組を条件とし、当該条件に合致する複数の検査に関する依頼内容適正度の平均値並びに当該条件に合致する複数の検査に関する読影結果確信度の平均値が、例えば、次のようにして得られる。まず、予測病名、事前確信度、及び、検査内容の組を検索キーとして、検査依頼情報データベースにおいて検索を行い、複数のレコードを抽出する。次に、抽出された複数のレコードに含まれている複数の読影レポートＩＤを検索キーとして、読影医検査評価情報データベースにおいて検索を行い、複数のレコードを抽出する。そして、抽出された複数のレコードに含まれている複数の依頼内容適正度の平均値及び複数の読影結果確信度の平均値をそれぞれ算出する。このようにして、予測病名、事前確信度、及び、検査内容の組を条件とし、当該条件に合致する複数の検査に関する複数の依頼内容適正度の平均値並びに当該条件に合致する複数の検査に関する複数の読影結果確信度の平均値を得ることができる。
【００２９】
また、検査内容、予測病名、及び、事前確信度の組を条件とし、当該条件に合致する複数の検査に関する読影結果有効度の平均値が、例えば、次のようにして得られる。まず、検査内容、予測病名、及び、事前確信度の組を検索キーとして、検査依頼情報データベースにおいて検索を行い、複数のレコードを抽出する。次に、抽出された複数のレコードに含まれている複数の読影レポートＩＤを検索キーとして、依頼医検査評価情報データベースにおいて検索を行い、複数のレコードを抽出する。そして、抽出された複数のレコードに含まれている複数の読影結果有効度の平均値を算出する。このようにして、予測病名、事前確信度、及び、検査内容の組を条件とし、当該条件に合致する複数の検査に関する読影結果有効度の平均値を得ることができる。
【００３０】
あるいは、検査内容、予測病名、及び、事前確信度の組を条件とし、当該条件に合致する複数の検査に関する依頼内容適正度の平均値、当該条件に合致する複数の検査に関する読影結果確信度の平均値、並びに、当該条件に合致する複数の検査に関する読影結果有効度の平均値は、例えば、次のようにして得ることもできる。まず、読影レポートＩＤをキーとして、検査依頼情報データベース、読影医検査評価情報データベース、及び、依頼医検査評価情報データベースをジョイン（結合）する。次に、検査内容、予測病名、及び、事前確信度の組を検索キーとして、ジョインの結果として得られたデータベースにおいて検索を行い、複数のレコードを抽出する。そして、抽出された複数のレコードに含まれている複数の依頼内容適正度の平均値、複数の読影結果確信度の平均値、並びに、複数の読影結果有効度の平均値を算出する。このようにして、予測病名、事前確信度、及び、検査内容の組を条件とし、当該条件に合致する複数の検査に関する複数の依頼内容適正度の平均値、複数の読影結果確信度の平均値、並びに、複数の読影結果有効度の平均値を得ることができる。
【００３１】
次に、図１を参照しながら、ＣＰＵ２０とソフトウェア（プログラム）とによって構成される複数の機能ブロックについて説明する。これらの機能ブロックは、検査依頼情報取得部２１と、読影医検査評価情報取得部２２と、依頼医検査評価情報取得部２３と、検査情報管理部２４と、検査依頼事前情報取得部２５と、検査内容判定部２６と、検査内容妥当性出力部２７とを含んでいる。
【００３２】
検査依頼情報取得部２１は、依頼医端末１において検査依頼の際に依頼医により入力される依頼医名、検査種、検査内容、予測病名、事前確信度等を依頼医端末１から受信し、検査情報管理部２４に出力する。
【００３３】
読影医検査評価情報取得部２２は、読影レポート作成装置７において読影レポート作成の際に読影医により入力される所見、診断、読影医名、依頼内容適正度、読影結果確信度等を読影レポート作成装置７から受信し、検査情報管理部２４に出力する。
【００３４】
依頼医検査評価情報取得部２３は、依頼医端末１において読影レポート参照の際に依頼医により入力される読影結果有効度等を依頼医端末１から受信し、検査情報管理部２４に出力する。
【００３５】
検査情報管理部２４は、依頼医名、検査種、検査内容、予測病名、事前確信度等を検査依頼情報取得部２１から、検査ＩＤを検査発行装置３から、読影レポートＩＤを読影レポート管理装置８からそれぞれ受け取って、検査依頼情報データベースに蓄積する。また、検査情報管理部２４は、所見、診断、読影医名、依頼内容適正度、及び、読影結果確信度を読影医検査評価情報取得部２２から受け取って、読影レポートＩＤとともに、読影医検査評価情報データベースに蓄積する。さらに、検査情報管理部２４は、読影結果有効度を依頼医端末１から受け取って、読影レポートＩＤとともに、依頼医検査評価情報データベースに蓄積する。そして、検査情報管理部２４は、検査依頼情報データベース、読影医検査評価情報データベース、及び、依頼医検査評価情報データベースに基づいて、検査妥当性評価情報データベースを作成又は更新する。
【００３６】
検査依頼事前情報取得部２５は、依頼医端末１において検査依頼の前に依頼医により入力される予測病名、事前確信度、検査内容等を依頼医端末１から受け取って、検査内容判定部２６に出力する。
【００３７】
検査内容判定部２６は、予測病名、事前確信度、検査内容等を検査依頼事前情報取得部２５から受け取って、予測病名、又は、予測病名及び事前確信度を検査情報管理部２４に出力する。検査情報管理部２４は、予測病名、又は、予測病名及び事前確信度を検査内容判定部２６から受け取ると、予測病名、又は、予測病名及び事前確信度を検索キーとして、検査妥当性評価情報データベースにおいて検索を行い、検索結果として得られたレコードを検査内容判定部２６に出力する。検査内容判定部２６は、検索結果として得られたレコードを検査情報管理部２４から受け取って、検査内容妥当性出力部２７に出力する。
検査内容妥当性出力部２７は、検査内容判定部２６から受け取ったレコードを依頼医端末１に送信し、依頼医端末１において表示させる。
【００３８】
次に、医療情報管理システムの動作について説明する。図６及び図７は、依頼医が検査依頼を行う場合における医療情報管理システムの動作を示すフローチャートである。
まず、依頼医端末１が、電子カルテ入力画面、検査依頼画面、及び、検査妥当性表示画面を表示部１ｂに表示させる（ステップＳ１１）。図８は、このときの依頼医端末１の表示部１ｂの表示画面の例を示す図である。図９は、図８の領域３１の拡大図であり、図１０は、図８の領域３２の拡大図である。
【００３９】
図９に示すように、領域３１内には、電子カルテ入力画面の第１の部分４１が表示される。電子カルテには、保険医療機関の責任で記載が義務付けられている項目として、公費負担者番号、公費負担医療の受給者番号、保険者番号、被保険者記号・番号等が含まれており、保険医の責任で記載が義務付けられている項目として、傷病名、開始年月日、終了年月日、転帰等が含まれている。傷病名としては、「脂肪肝」、「肝硬変」等の病名が記載される。これらの情報のほか、電子カルテ入力画面の第１の部分４１においては、患者名等が入力される。例えば、患者名が「山田  三郎」であり、患者ＩＤが「０００１０１」であり、患者の性別が「男」であり、患者の年齢が「５１」であるものとする。
【００４０】
図１０に示すように、領域３２内には、電子カルテ入力画面の第２の部分４２、検査依頼画面４３、及び、検査妥当性表示画面４４が表示される。電子カルテ入力画面の第２の部分４２は、電子カルテ保存ボタン５１を含んでいる。依頼医は、電子カルテ入力画面の第２の部分４２において、患者の症状等を入力する。図１１は、電子カルテ入力画面の第２の部分４２において、診察日（ここでは、「２００６年５月１５日」とする）、依頼医名（ここでは、「田中  一郎」とする）、患者の症状（ここでは、「だるい」、「むくみ」、及び、「黄疸」とする）、患者の症状に基づく所見（ここでは、「脂肪肝の疑いあり」とする）が入力された様子を示す図である。依頼医は、患者の症状等を入力した後に、電子カルテ保存ボタン５１をマウスでクリックする。
【００４１】
依頼医端末１は、電子カルテ保存ボタン５１がクリックされると、電子カルテの情報を電子カルテ管理装置２に送信し（ステップＳ１２）、電子カルテ管理装置２は、受信した電子カルテの情報を電子カルテデータベース２ａに蓄積する（ステップＳ２１）。
【００４２】
次に、依頼医が、患者の症状に基づいて予測病名を決定する。ここでは、依頼医が、「だるい」、「むくみ」、及び、「黄疸」という患者の症状に基づいて、予測病名を「脂肪肝」に決定するものとする。また、ここでは、依頼医が、診断結果（確定病名）が「脂肪肝」となる可能性が高い、すなわち、事前確信度が「３」であると判断するものとする。さらに、依頼医が、「脂肪肝」と診断するために、「腹部ＵＳ」という検査内容の検査を依頼しようとするものとする。そして、依頼医が、予測病名「脂肪肝」を検査依頼画面４３内の予測病名入力欄６１に、事前確信度「３」を事前確信度入力欄６２に、依頼しようとする検査内容「腹部ＵＳ」を検査内容入力欄６３に、それぞれ入力する。図１２は、このときの依頼医端末１の表示部１ｂの表示画面の領域３２を示す図である。そして、依頼医は、検査依頼画面４３内の妥当性表示ボタン６４をマウスでクリックする。依頼医端末１は、妥当性表示ボタン６４がクリックされると、予測病名、事前確信度、及び、検査内容を検査情報管理装置１０に送信する（ステップＳ１３）。
【００４３】
検査情報管理装置１０の検査依頼事前情報取得部２５は、予測病名、事前確信度、及び、検査内容を依頼医端末１から受信すると、受信した予測病名、事前確信度、及び、検査内容を検査内容判定部２６に出力する。検査内容判定部２６は、予測病名、又は、予測病名及び事前確信度を検査情報管理部２４に出力する。検査情報管理部２４は、検査情報管理部２４から受け取った予測病名、又は、予測病名及び事前確信度を検索キーとして、検査妥当性評価情報データベース（図５参照）において検索を実行する。
【００４４】
予測病名及び事前確信度を検索キーとする場合には、予測病名が「脂肪肝」であり、事前確信度が「３」であるため、検査情報管理部２４は、図５に示す検査妥当性評価情報データベース内の第１〜第３番目のレコードを検索結果として抽出する。そして、検査情報管理部２４は、検索結果を検査内容判定部２６に出力する。検査内容判定部２６は、検査依頼事前情報取得部２５から受け取った検査内容と、検査情報管理部２４から受け取った検索結果とを、検査内容妥当性出力部２７に出力する。検査内容妥当性出力部２７は、検索結果（ここでは、図５に示す検査妥当性評価情報データベース内の第１〜第３番目のレコード）を依頼医端末１に送信し、依頼医端末１において表示させる（ステップＳ３２）。なお、このとき、検査内容妥当性出力部２７が、検索結果の内の検査依頼事前情報取得部２５から受け取った検査内容（ここでは、「腹部ＵＳ」）に合致するレコード（ここでは、図５に示す検査妥当性評価情報データベース内の第１番目のレコード）を依頼医端末１において強調表示（例えば、網掛け表示、太字表示等）させても良い。また、検査内容妥当性出力部２７が、検索結果の内の検査依頼事前情報取得部２５から受け取った検査内容に合致するレコード内の依頼内容適正度、読影結果確信度、又は、読影結果有効度が所定値（例えば、２未満等）の場合に、警告文を依頼医端末１において表示させても良い。
【００４５】
予測病名を検索キーとする場合には、検査内容判定部２６は、検査依頼事前情報取得部２５から受け取った検査内容と、少なくとも、検査依頼事前情報取得部２５から受け取った検査内容と同じ検査内容の検索結果とを、検査内容妥当性出力部２７に出力する。さらに、検査内容判定部２６は、依頼内容適性度と読影結果確信度と読影結果有効度との内の少なくとも１つが高い検索結果を含めて、所定数の検索結果を検査内容妥当性出力部２７に出力するようにしても良い。検査内容妥当性出力部２７は、それらの検索結果を依頼医端末１に送信し、依頼医端末１において表示させる（ステップＳ３２）。
【００４６】
依頼医端末１は、検査情報管理装置１０において行われた検索結果を受信し、検査妥当性表示画面４４内において表示部１ｂに表示させる（ステップＳ１４）。図１３は、このときの依頼医端末１の表示部１ｂの表示画面の領域３２を示す図である。図１３に示すように、検査妥当性表示画面４４内には、予測病名「脂肪肝」、事前確信度「３」、及び、検査内容「腹部ＵＳ」の組を条件とし、当該条件に合致する複数の検査に関する依頼内容適正度の平均値「２．８」、読影結果確信度の平均値「２．６」、及び、読影結果有効度の平均値「２．９」（図５に示す検査妥当性評価情報データベース内の第１番目のレコードに相当）が強調表示（ここでは、網掛け表示）されている。また、検査妥当性表示画面４４内には、予測病名「脂肪肝」、事前確信度「３」、及び、検査内容「腹部ＣＴ」の組を条件とし、当該条件に合致する複数の検査に関する依頼内容適正度の平均値「２．９」、読影結果確信度の平均値「２．６」、及び、読影結果有効度の平均値「２．８」（図５に示す検査妥当性評価情報データベース内の第２番目のレコードに相当）も表示されている。さらに、検査妥当性表示画面４４内には、予測病名「脂肪肝」、事前確信度「３」、及び、検査内容「腹部ＭＲＩ」の組を条件とし、当該条件に合致する複数の検査に関する依頼内容適正度の平均値「１．２」、読影結果確信度の平均値「１．２」、及び、読影結果有効度の平均値「１．８」（図５に示す検査妥当性評価情報データベース内の第３番目のレコードに相当）も表示されている。
【００４７】
依頼医は、図１３に示す検査妥当性表示画面４４を参照することにより、予測病名が「脂肪肝」であり且つ事前確信度が「３」である場合には、検査内容「腹部ＵＳ」又は「腹部ＣＴ」の検査を行うことが、検査内容「腹部ＭＲＩ」の検査を行うことよりも適切であることを知ることができる。そして、依頼医は、検査依頼画面４３の検査内容入力欄６３に入力した検査内容（ここでは、「腹部ＵＳ」）の検査を依頼するか否かを判断する。
【００４８】
依頼医は、検査依頼画面４３の検査内容入力欄６３に入力した検査内容（ここでは、「腹部ＵＳ」）の検査を依頼せずに、他の検査内容（例えば、「腹部ＣＴ」）の検査を依頼すると判断した場合には、検査依頼画面４３の検査内容入力欄６３にその検査内容を入力すれば良い。なお、その際、依頼医が、妥当性表示ボタン６４を再度クリックしても良い。このとき、依頼医端末１は、ステップＳ１３〜ステップＳ１４を再度実行し、検査情報管理装置１０は、ステップＳ３１〜ステップＳ３２を再度実行する。
【００４９】
一方、依頼医は、検査依頼画面４３の検査内容入力欄６３に入力した検査内容（ここでは、「腹部ＵＳ」）の検査を依頼すると判断した場合には、検査依頼画面４３内の検査依頼ボタン６５をクリックする。
【００５０】
依頼医端末１は、検査依頼ボタン６５がクリックされると、患者名（ここでは、「山田  三郎」）、患者ＩＤ（ここでは、「０００１０１」）、検査種（ここでは、「ＵＳ」）、検査内容（ここでは、「腹部ＵＳ」）、及び、予測病名（ここでは、「脂肪肝」）を検査発行装置３に送信し（ステップＳ１５）、依頼医名（ここでは、「田中  一郎」）、検査種、検査内容、予測病名、及び、事前確信度（ここでは、「３」）を検査情報管理装置１０に送信する（ステップＳ１６）。
【００５１】
検査発行装置３は、患者名、患者ＩＤ、検査種、検査内容、及び、予測病名を依頼医端末１から受信すると、検査ＩＤを決定し（ここでは、「ＵＳ１００１」とする）、決定した検査ＩＤを検査情報管理装置１０に送信する（ステップＳ４１）。なお、検査発行装置３は、決定した検査ＩＤ、患者名、患者ＩＤ、検査内容、及び、予測病名を検査者端末４において表示させる。検査者は、検査者端末４の表示部に表示された患者名等を参照し、撮影モダリティ５において検査を行う。撮影モダリティ５において撮影された医用画像データは、画像サーバ６に送信され、画像データベース６ａに蓄積される。また、読影レポート管理装置８において読影レポートＩＤが決定され（ここでは、「３００００１」とする）、検査情報管理装置１０に送信される。
【００５２】
検査情報管理装置１０の検査依頼情報取得部２１は、依頼医名、検査種、検査内容、予測病名、及び、事前確信度を依頼医端末１から、検査ＩＤを検査発行装置３から、読影レポートＩＤを読影レポート管理装置８からそれぞれ受信し、これらの情報を検査情報管理部２４に出力する。検査情報管理部２４は、読影レポートＩＤ（ここでは、「３００００１」）、依頼医名（ここでは、「田中  一郎」）、検査ＩＤ（ここでは、「ＵＳ１００１」）、検査種（ここでは、「ＵＳ」）、検査内容（ここでは、「腹部ＵＳ」）、予測病名（ここでは、「脂肪肝」）、及び、事前確信度（ここでは、「３」）を含むレコードを検査依頼情報データベースに蓄積する（ステップＳ３３）。図１４は、このときの検査依頼情報データベースを示す図である。図１４に示すように、検査依頼情報データベースの最下行には、上記の情報を含む新たなレコードが追加されている。
【００５３】
次に、図１５を参照しながら、読影医が読影を行う場合における医療情報管理システムの動作について説明する。図１５は、読影医が読影を行う場合における医療情報管理システムの動作を示すフローチャートである。
【００５４】
まず、読影レポート作成装置７が、読影レポート入力画面、及び検査評価入力画面を表示部に表示させる（ステップＳ５１）。図１６は、このときの読影レポート作成装置７の表示部の表示画面の例を示す図である。図１６に示すように、読影レポート作成装置７の表示部には、読影レポート入力画面７１及び検査評価入力画面７２が表示されている。読影レポート入力画面７１は、検査情報表示欄８１と、所見入力欄８２と、読影医診断結果入力欄８３と、キー画像表示欄８４と、読影レポート保存ボタン８５とを含んでおり、検査評価入力画面７２は、依頼内容適正度入力欄９１、読影結果確信度入力欄９２、及び、検査評価送信ボタン９３を含んでいる。
【００５５】
検査情報表示欄８１には、検査ＩＤ（ここでは、「ＵＳ１００１」）、検査種（ここでは、「ＵＳ」）、検査対象である部位（ここでは、「腹部」）、患者名（ここでは、「山田  三郎」）、性別（ここでは、「男」）、年齢（ここでは、「５１」）、撮像日（ここでは、「２００６年５月１５日」とする）、検査に関するコメントが表示されている。キー画像表示欄８４には、検査によって得られた一連の画像の内で、読影の鍵になると読影医によって判断された画像（キー画像）が表示されている。なお、読影レポート作成装置７は、高精細な画像モニタ（ビューワ）を有しており、検査によって得られた一連の画像が、ビューワに表示される。
【００５６】
読影医（ここでは、「富士  太郎」とする）は、キー画像表示欄８４やビューワに表示された画像を見ながら、所見（ここでは、「肝腎コントラスト強」とする）を所見記入欄８２に、読影医診断結果（ここでは、「脂肪肝」とする）を診断結果入力欄８３に、それぞれ入力する。図１７は、所見及び読影医診断結果が所見入力欄８２及び診断結果入力欄８３にそれぞれ入力された様子を示す図である。読影医は、所見及び読影医診断結果を入力した後に、読影レポート保存ボタン８５をクリックする。
【００５７】
読影レポート作成装置７は、読影レポート保存ボタン８５がクリックされると、読影レポートを読影レポート管理装置８に送信し（ステップＳ５２）、読影レポート管理装置８が、読影レポートを読影レポートデータベース８ａに蓄積する（ステップＳ５３）。
【００５８】
次に、読影医は、依頼医が依頼した検査内容「腹部ＵＳ」が「脂肪肝」と診断するために適正であったかどうかの度合いである依頼内容適正度（ここでは、「３」とする）を依頼内容適正度入力欄９１に入力する。さらに、読影医は、読影結果が正しい、すなわち、読影医診断が確定病名になると確信する度合いである読影結果確信度（ここでは、「３」とする）を読影結果確信度入力欄９２に入力する。図１８は、依頼内容適正度及び読影結果確信度が依頼内容適正度入力欄９１及び読影結果確信度入力欄９２にそれぞれ入力された様子を示す図である。読影医は、依頼内容適正度及び読影結果確信度を入力した後に、検査評価送信ボタン９３をクリックする。
【００５９】
読影レポート作成装置７は、検査評価送信ボタン９３がクリックされると、読影レポートＩＤ（ここでは、「３００００１」）、所見（ここでは、「肝腎コントラスト強」）、読影医診断結果（ここでは、「脂肪肝」）、読影医名（ここでは、「富士  太郎」）、依頼内容適正度（ここでは、「３」）、及び、読影結果確信度（ここでは、「３」）を検査情報管理装置１０に送信する（ステップＳ５３）。
【００６０】
検査情報管理装置１０の読影医評価情報取得部２２は、読影レポートＩＤ（ここでは、「３００００１」）、所見（ここでは、「肝腎コントラスト強」）、読影医診断結果（ここでは、「脂肪肝」）、読影医名（ここでは、「富士  太郎」）、依頼内容適正度（ここでは、「３」）、及び、読影結果確信度（ここでは、「３」）を読影レポート作成装置７から受信し、検査情報管理部２４に出力する。検査情報管理部２４は、読影レポートＩＤ、所見、読影医診断結果、読影医名、依頼内容適正度、及び、読影結果確信度を含むレコードを読影医検査評価情報データベース（図３参照）に格納する（ステップＳ７１）。図１９は、このときの読影医検査評価情報データベースを示す図である。図１９に示すように、読影医検査評価情報データベースの最下行には、上記の情報を含む新たなレコードが追加されている。なお、このとき、検査情報管理部２４が、依頼内容適正度を電子メール等により依頼医に通知するようにしても良い。これにより、依頼医は、自らが依頼した検査の依頼内容適正度を迅速に知ることができる。また、依頼内容適正度が「１」の場合に、検査情報管理部２４が、管理者（病院長）等に通知するようにしても良い。
【００６１】
次に、図２０を参照しながら、依頼医が診断を行う（病名を確定する）場合における医療情報管理システムの動作について説明する。図２０は、依頼医が診断を行う場合における医療情報管理システムの動作を示すフローチャートである。
【００６２】
まず、依頼医端末１が、電子カルテ入力画面、読影レポート表示画面、及び、検査評価入力画面を表示部１ｂに表示させる（ステップＳ８１）。図２１は、このときの依頼医端末１の表示部１ｂの表示画面の領域３２を示す図である。図２１に示すように、依頼医端末１の表示部１ｂには、電子カルテ入力画面４２、読影レポート表示画面４５、及び、検査評価入力画面４６が表示されている。
【００６３】
読影レポート表示画面４５は、検査情報表示欄１０１と、所見表示欄１０２と、診断結果表示欄１０３と、キー画像表示欄１０４とを含んでおり、検査評価入力画面４６は、結果有効度入力欄１１１、及び検査評価送信ボタン１１２を含んでおり、検査評価入力画面４６は、読影結果有効度入力欄１１１と、検査評価送信ボタン１１２とを含んでいる。検査情報表示欄１０１には、検査ＩＤ（ここでは、「ＵＳ１００１」）、検査種（ここでは、「ＵＳ」）、部位（ここでは、「腹部」）、患者名（ここでは、「山田  三郎」）、性別（ここでは、「男」）、年齢（ここでは、「５１」）、撮像日（ここでは、「２００６年５月１５日」）、検査に関するコメントが表示されている。キー画像表示欄１０４には、キー画像が表示されている。なお、依頼医端末１が高精細な画像モニタ（ビューワ）を有している場合に、検査によって得られた一連の画像が、ビューワに表示されるようにしても良い。
【００６４】
依頼医は、読影レポート表示画面４５を参照して診断を行い、電子カルテ入力画面の第２の部分４２において、診断結果（確定病名）や処方等を入力する。図２２は、電子カルテ入力画面の第２の部分４２に、診断日（ここでは、「２００６年５月１６日」とする）、依頼医（診断医）名（ここでは、「田中  一郎」）、診断結果（ここでは、「脂肪肝」）が入力された様子を示す図である。依頼医は、診断結果等を入力した後に、電子カルテ保存ボタン５１をクリックする。
【００６５】
依頼医端末１は、電子カルテ保存ボタン５１がクリックされると、電子カルテを電子カルテ管理装置２に送信し（ステップＳ８２）、電子カルテ管理装置２は、受信した電子カルテを電子カルテデータベース２ａに蓄積又は更新する（ステップＳ９１）。
【００６６】
次に、依頼医は、読影結果が診断に有効であった度合いである読影結果有効度（ここでは、「３」とする）を読影結果有効度入力欄１１１に入力する。図２３は、このときの依頼医端末１の表示部１ｂの表示画面の領域３２を示す図である。依頼医は、読影結果有効度を入力した後に、検査評価入力画面４６内の検査評価送信ボタン１１２をマウスでクリックする。
【００６７】
依頼医端末１は、検査評価送信ボタン１１２がクリックされると、読影レポートＩＤ及び読影結果有効度を検査情報管理装置１０に送信する（ステップＳ８３）。検査情報管理装置１０の依頼医評価情報取得部２３は、読影レポートＩＤ及び読影結果有効度を受信し、検査情報管理部２４に出力する。検査情報管理部２４は、読影レポートＩＤ及び読影結果有効度を依頼医検査評価情報データベース（図４参照）に蓄積する（ステップＳ１０１）。図２４は、このときの依頼医検査評価情報データベースを示す図である。図２４に示すように、依頼医検査評価情報データベースの最下行には、上記した情報を含む新たなレコードが追加されている。なお、このとき、検査情報管理部２４が、読影結果有効度を電子メール等により読影医に通知するようにしても良い。これにより、読影医は、自らが行った読影結果の読影結果有効度を迅速に知ることができる。また、読影結果有効度が「１」の場合に、検査情報管理部２４が、管理者（病院長）等に通知するようにしても良い。
【００６８】
次に、検査情報管理部２４は、検査妥当性評価データベースを更新する（ステップＳ１０２）。詳細には、検査情報管理部２４は、ステップＳ３３にて検査依頼情報データベースに新たに蓄積されたレコード（ここでは、図１４中の最下行のレコード）内の検査内容、予測病名、及び、事前確信度の組を条件とし、当該条件に合致する複数の検査に関する依頼内容適正度の平均値、当該条件に合致する複数の検査に関する読影結果確信度の平均値、並びに、当該条件に合致する複数の検査に関する読影結果有効度の平均値を算出する。これら３つの平均値の算出方法は、先に説明した通りである。次に、検査情報管理部２４は、検査内容、予測病名、及び、事前確信度を検索キーとして、検査妥当性評価情報データベース（図５参照）において検索を行う。そして、検査情報管理部２４は、上記のようにして取得した３つの平均値を、検索の結果として得られたレコード（ここでは、図５中の第１番目のレコード）内の第４〜第６番目のフィールドにそれぞれ書き込み、検査妥当性評価情報データベースに書き戻す。このようにして更新された検査妥当性評価情報データベースは、次の検査依頼に利用される。
【００６９】
このように、本実施形態によれば、依頼医が検査依頼を行おうとする場合に、依頼医が入力した検査内容及び予測病名の組を条件とし、当該条件に合致する複数の検査に関する依頼内容適正度の平均値、当該条件に合致する複数の検査に関する読影結果確信度の平均値、並びに、当該条件に合致する複数の検査に関する読影結果有効度の平均値が依頼医端末１に表示されるので、依頼医がより適切な検査を選択することが可能となる。
【００７０】
また、読影医が入力した依頼内容適正度を依頼医に通知することとすれば、依頼医が、自らが依頼した検査が適正であったか否かを知ることができるので、依頼医のスキルを向上させることができる。
また、依頼医が入力した読影結果有効度を読影医に通知することとすれば、読影医が、自らが行った読影結果が有効であったか否かを知ることができるので、読影医のスキルを向上させることができる。
【００７１】
なお、検査情報管理部２４が、依頼内容適正度を依頼医毎に集計するようにしても良い。これは、次のようにして実現可能である。検査情報管理部２４が、ある依頼医名（例えば、「鈴木  二郎」）を検索キーとして、検査依頼情報データベース（図１４参照）において検索を行い、複数のレコード（図１４の第２〜第６行目のレコード）を抽出する。次に、検査情報管理部２４が、抽出した複数のレコード内の複数の読影レポートＩＤを検索キーとして、読影医検査評価情報データベース（図１９参照）において検索を行う。そして、検査情報管理部２４が、抽出した複数のレコード内の依頼内容適正度を集計する。これにより、依頼医「鈴木  二郎」の検査依頼に関する依頼内容適正度を集計することができる。以上の処理を他の依頼医に関しても実行すれば良い。
さらに、検査情報管理部２４が、この集計結果を管理者（病院長等）に通知するようにしても良い。これにより、管理者（病院長）等は、依頼医のスキルを把握することができる。
【００７２】
また、検査情報管理部２４が、読影結果有効度を読影医毎に集計するようにしても良い。これは、次のようにして実現可能である。検査情報管理部２４が、ある読影医名（例えば、「富士  玄人」）を検索キーとして、読影医検査評価情報データベース（図１９参照）において検索を行い、複数のレコード（図１９の第２、３、７〜９番目のレコード）を抽出する。次に、検査情報管理部２４が、抽出した複数のレコード内の複数の読影レポートＩＤを検索キーとして、依頼医検査評価情報データベース（図２４参照）において検索を行う。そして、検査情報管理部２４が、抽出した複数のレコード内の読影結果有効度を集計する。これにより、読影医「富士  玄人」の読影結果に関する読影結果有効度を集計することができる。以上の処理を他の読影医に関しても実行すれば良い。
さらに、検査情報管理部２４が、この集計結果を管理者（病院長等）に通知するようにしても良い。これにより、管理者（病院長）等は、読影医のスキルを把握することができる。
【００７３】
なお、本実施形態においては、事前確信度、依頼内容適正度、読影結果確信度、及び、読影結果有効度を１〜３の値を用いて表すこととしているが、他の値や文字や文字列等を用いて表しても良い。
【００７４】
次に、本発明の第２の実施形態に係る検査情報管理装置を含む医療情報管理システムについて説明する。図２５は、本発明の第２の実施形態に係る検査情報管理装置を含む医療情報管理システムの構成を示すブロック図である。
【００７５】
図２５に示すように、この医療情報管理システムは、依頼医端末１と、電子カルテ管理装置２と、検査発行装置３と、検査者端末４と、撮影モダリティ５と、画像サーバ６と、読影レポート作成装置７と、読影レポート管理装置８と、本発明の第２の実施形態に係る検査情報管理装置１５０とを含んでいる。これらの装置は、ＬＡＮ等のネットワークを介して相互に接続されている。或いは、検査情報管理装置１５０と、依頼医端末１、電子カルテ管理装置２、検査発行装置３、検査者端末４、撮影モダリティ５、画像サーバ６、読影レポート作成装置７、又は、読影レポート管理装置８とを直接接続しても良い。
【００７６】
本実施形態において、検査発行装置３は、過去に行われた検査の検査履歴データを蓄積する検査履歴データベース３ａを格納するための記録媒体を備えている。図２６は、検査履歴データベースの例を示す図である。図２６に示すように、検査履歴データには、検査ＩＤ、患者ＩＤ、検査種、検査内容、及び、検査実施日が含まれる。検査ＩＤは、検査毎に検査発行装置３により決定される。患者ＩＤ、検査種、及び、検査内容は、依頼医端末１において依頼医により入力される。検査実施日は、検査者端末４において検査者により入力されるか、あるいは、撮影モダリティ５において検査が行われた際に撮影モダリティ５から送信される。なお、検査発行装置３が、検査履歴データベース３ａを随時複製して検査情報管理装置１０に送信し、検査情報管理装置１０が、複製された検査履歴データベース３ａをハードディスク１３１に記録するようにしても良い。
【００７７】
検査情報管理装置１５０は、ＣＰＵ１６０と、メモリ１２０と、ハードディスク制御部１３０と、ネットワークインタフェース１４０とを含んでいる。これらは、バスラインを介して相互に接続されている。また、ＣＰＵ１６０は、ネットワークインタフェース１４０を介して、ネットワークに接続される。
【００７８】
次に、図２５を参照しながら、ＣＰＵ１６０とソフトウェア（プログラム）とによって構成される複数の機能ブロックについて説明する。これらの機能ブロックは、先に説明した検査依頼情報取得部２１、読影医検査評価情報取得部２２、依頼医検査評価情報取得部２３、検査情報管理部２４、検査依頼事前情報取得部２５、検査内容判定部２６、及び、検査内容妥当性出力部２７に加えて、更に、禁忌情報取得部２８を含んでいる。
【００７９】
禁忌情報取得部２８は、検査対象患者の電子カルテに禁忌情報が記録されている場合に、禁忌情報を電子カルテ管理装置２から受信して検査内容判定部２６に出力する。なお、検査対象患者の電子カルテに禁忌情報が記録されている場合には、禁忌情報を検査者端末４に表示させて検査者に知らせる必要があるので、禁忌情報が、電子カルテ管理装置２から検査発行装置３に送信される。そこで、禁忌情報取得部２８が、検査対象患者の禁忌情報を、電子カルテ管理装置２からではなく、検査発行装置３から受信するようにしても良い。
【００８０】
次に、本実施形態に係る医療情報管理システムの動作について説明する。図２７〜図２９は、依頼医が検査依頼を行う場合における医療情報管理システムの動作を示すフローチャートである。
【００８１】
まず、依頼医端末１が、電子カルテ入力画面、検査依頼画面、及び、検査妥当性表示画面を表示部１ｂに表示させる（ステップＳ１１１）。このときの依頼医端末１の表示部１ｂの表示画面は、図８〜図１０と同様である。依頼医は、電子カルテ入力画面の第１の部分４１（図９参照）において、患者名等を入力する。例えば、患者名が「佐藤  花子」、患者ＩＤが「０００００２」、患者の性別が「女」、患者の年齢が「３１」であるものとする。
【００８２】
依頼医は、電子カルテ入力画面の第２の部分４２において、診察日（ここでは、「２００６年５月１５日」とする）、依頼医名（ここでは、「田中  一郎」とする）、患者の症状（ここでは、「だるい」、「むくみ」、及び、「黄疸」とする）、患者の症状に基づく所見（ここでは、「脂肪肝の疑いあり」とする）、患者の禁忌情報（ここでは、「妊娠中のため、放射線検査不可」とする）を入力する。図３０は、このときの依頼医端末１の表示部１ｂの表示画面の領域３２の様子を示す図である。依頼医は、患者の症状等を入力した後に、電子カルテ保存ボタン５１をマウスでクリックする。
【００８３】
依頼医端末１は、電子カルテ保存ボタン５１がクリックされると、電子カルテの情報を電子カルテ管理装置２に送信し（ステップＳ１１２）、電子カルテ管理装置２は、受信した電子カルテの情報を電子カルテデータベース２ａに蓄積する（ステップＳ１２１）。
【００８４】
次に、依頼医が、患者の症状に基づいて予測病名を決定する。ここでは、依頼医が、「だるい」、「むくみ」、及び、「黄疸」という患者の症状に基づいて、予測病名を「脂肪肝」に決定するものとする。また、ここでは、依頼医が、診断結果（確定病名）が「脂肪肝」となる可能性が高い、すなわち、事前確信度が「３」であると判断するものとする。さらに、依頼医が、「脂肪肝」と診断するために、「腹部ＵＳ」という検査内容の検査を依頼しようとするものとする。そして、依頼医が、予測病名「脂肪肝」を検査依頼画面４３内の予測病名入力欄６１に、事前確信度「３」を事前確信度入力欄６２に、依頼しようとする検査内容「腹部ＵＳ」を検査内容入力欄６３に、それぞれ入力する。図３１は、このときの依頼医端末１の表示部１ｂの表示画面の領域３２を示す図である。そして、依頼医は、検査依頼画面４３内の妥当性表示ボタン６４をマウスでクリックする。
【００８５】
依頼医端末１は、妥当性表示ボタン６４がクリックされると、予測病名、事前確信度、及び、検査内容を検査情報管理装置１５０に送信する（ステップＳ１１３）。なお、このとき、依頼医端末１が、患者の禁忌情報を併せて検査情報管理装置１５０に送信するようにしても良い。
【００８６】
検査情報管理装置１５０の検査依頼事前情報取得部２５は、第１の実施形態におけるのと同様に、予測病名、事前確信度、及び、検査内容を依頼医端末１から受信すると、受信した予測病名、事前確信度、及び、検査内容を検査内容判定部２６に出力する。検査内容判定部２６は、予測病名、事前確信度、検査内容等を検査依頼事前情報取得部２５から受け取って、予測病名、又は、予測病名及び事前確信度を検査情報管理部２４に出力する。検査情報管理部２４は、検査情報管理部２４から受け取った予測病名、又は、予測病名及び事前確信度を検索キーとして、検査妥当性評価情報データベース（図５参照）において検索を実行する（ステップＳ１３１）。ここでは、予測病名が「脂肪肝」であり、事前確信度が「３」であるため、検査情報管理部２４は、図５に示す検査妥当性評価情報データベース内の第１〜第３番目のレコードを検索結果として抽出する。そして、検査情報管理部２４は、検索結果を検査内容判定部２６に出力する。
【００８７】
次に、検査内容判定部２６は、患者（ここでは、「佐藤  花子」）に対して所定期間（例えば、３週間前から今日まで等）内に実施されている検査があるか否かをチェックする（ステップＳ１３２）。なお、患者に対して所定期間内に実施されている検査があるか否かは、次のようにしてチェックすることができる。
【００８８】
検査履歴データベース３ａの複製がハードディスク１３１に記録されている場合には、検査内容判定部２６が、患者ＩＤ（ここでは、「０００００２」）を検査情報管理部２４に出力する。検査情報管理部２４は、検査内容判定部２６から受け取った患者ＩＤを検索キーとして、ハードディスク１３１に記録されている検査履歴データベース３ａの複製において検索を実行する。このようにして、患者に対して所定期間内に実施されている検査があるか否かをチェックすることができる。
【００８９】
一方、検査履歴データベース３ａの複製がハードディスク１３１に記録されていない場合には、検査内容判定部２６が、患者ＩＤを、直接又は検査情報管理部２４を介して、検査発行装置３に送信する。検査発行装置３は、検査情報管理装置１５０から受け取った患者ＩＤを検索キーとして、検査履歴データベース３ａにおいて検索を実行し、検索結果を検査情報管理装置１５０に送信する。このようにして、患者に対して所定期間内に実施されている検査があるか否かをチェックすることができる。
【００９０】
ここでは、患者ＩＤが「０００００２」であるため、検査情報管理装置１５０又は検査発行装置３のいずれかにおいて、図２６に示す検査履歴データベース内の第２番目のレコードが検索結果として抽出されることになる。図２６に示す検査履歴データベース内の第２番目のレコードは、患者ＩＤ「０００００２」に対応する患者「佐藤  花子」に対して、２００６年５月１日に腹部ＵＳ検査が行われたことを表している。
【００９１】
次に、検査内容判定部２６は、患者に対して所定期間内に実施されている検査がある場合には、当該検査の検査内容と同一の検査内容に関するレコードを、ステップＳ１３１にて得られた妥当性評価情報データベースにおける検索結果から取り除く（フィルタリングする）（ステップＳ１３３）。ここでは、患者「佐藤  花子」に対して２００６年５月１日に腹部ＵＳ検査が行われているため、検査内容判定部２６は、ステップＳ１３１にて得られた妥当性評価情報データベースにおける検索結果（図５の第１〜第３番目のレコード）から、検査内容「腹部ＵＳ」を含むレコード（図５の第１番目のレコード）を取り除く。これにより、図５の第２及び第３番目のレコードが残ることになる。
【００９２】
次に、検査内容判定部２６は、ステップＳ１３１又はステップＳ１３３の処理結果（ここでは、図５の第２及び第３番目のレコード）の中に患者（ここでは、「佐藤  花子」）の禁忌に該当する検査があるか否かをチェックし（ステップＳ１３４）、患者の禁忌に該当する検査がある場合には、当該検査に関するレコードを取り除く（ステップＳ１３５）。ここでは、禁忌情報が「妊娠中のため、放射線検査不可」であるため、検査内容判定部２６は、放射線を利用する検査である「腹部ＣＴ」を含むレコード（図５の第２番目のレコード）を取り除く。これにより、図５の第３番目のレコードのみが残ることになる。
【００９３】
そして、検査内容妥当性出力部２７が、上記の処理結果（ここでは、図５の第３番目のレコード）を依頼医端末１に送信し、依頼医端末１において表示させる（ステップＳ１３６）。なお、このとき、検査内容妥当性出力部２７は、患者（ここでは、「佐藤  花子」）に対して所定期間内に実施された検査があること及び禁忌に該当する検査があることを依頼医に知らせる警告文を、依頼医端末１において表示させる。
【００９４】
依頼医端末１は、検査情報管理装置１０において行われた処理結果を受信し、検査妥当性表示画面４４内において表示部１ｂに表示させる（ステップＳ１１４）。図３２は、このときの依頼医端末１の表示部１ｂの表示画面の領域３２を示す図である。図３２に示すように、検査妥当性表示画面４４内には、警告文「患者『佐藤  花子』に対して、腹部ＵＳが２００６年５月１日に既に実施されています。」及び「患者『佐藤  花子』は妊娠中のため、患者『佐藤  花子』に対して、放射線検査を行うことは出来ません。」が表示されている。さらに、検査妥当性表示画面４４内には、図５の第２番目のレコードの内容（予測病名「脂肪肝」、事前確信度「３」、検査内容「腹部ＭＲＩ」、依頼内容適正度「１．２」、読影結果確信度「１．２」、読影結果有効度「１．８」）が表示されている。依頼医は、図３２に示す検査妥当性表示画面４４を参照することで、患者「佐藤  花子」に対して２００６年５月１日に腹部ＵＳが実施されていること、及び検査内容「腹部ＣＴ」の検査を行うことができないことを知ることができる。そして、依頼医は、検査依頼画面４３の検査内容入力欄６３に入力した検査内容（ここでは、「腹部ＵＳ」）の検査を依頼するか否かを判断する。
【００９５】
なお、このとき、依頼医が、所定の操作（例えば、第１のファンクションキーの押下等）を行うことにより、患者「佐藤  花子」に対して２００６年５月１日に実施された腹部ＵＳに関する読影レポートを参照できるようにしても良い。この読影レポートの表示は、依頼医端末１が、患者「佐藤  花子」の患者ＩＤ「０００００２」を読影レポート管理装置８に送信し、読影レポート管理装置８が、患者ＩＤ「０００００２」を検索キーとして読影レポートＤＢ８ａにおいて検索を行い、検索結果を依頼医端末１に送信することで、実現可能である。図３３は、患者「佐藤  花子」に対して２００６年５月１日に実施された腹部ＵＳに関する読影レポートを表す読影レポート表示画面４５を示す図である。この読影レポート表示画面４５は、例えば、電子カルテ入力画面の第１の部分４１、電子カルテ入力画面の第２の部分４２、検査依頼画面４３、及び／又は、検査妥当性表示画面４４の前面に新たなウィンドウとして表示されるようにしても良い。図３３に示す読影レポート表示画面４５においては、患者「佐藤  花子」に対して２００６年５月１日に実施された腹部ＵＳにおいて、特に異常が見られなかったことが表されている。依頼医は、この読影レポートを検査依頼の判断材料とすることができる。その後、依頼医が、所定の操作（例えば、第２のファンクションキーの押下等）を行うことにより、読影レポート表示画面４５の表示を終了させることができるようにしても良い。
【００９６】
依頼医は、患者「佐藤  花子」に対して２００６年５月１日に実施された腹部ＵＳに関する読影レポートを参酌した上で、検査依頼画面４３の検査内容入力欄６３に入力した検査内容（ここでは、「腹部ＵＳ」）の検査を依頼せずに、他の検査内容（例えば、「腹部ＭＲＩ」）の検査を依頼すると判断した場合には、検査依頼画面４３の検査内容入力欄６３にその検査内容を入力すれば良い。なお、その際、依頼医が、妥当性表示ボタン６４を再度クリックしても良い。このとき、依頼医端末１は、ステップＳ１１３〜ステップＳ１１４を再度実行し、検査情報管理装置１５０は、ステップＳ１３１〜ステップＳ１３６を再度実行する。
【００９７】
依頼医端末１は、検査依頼ボタン６５がクリックされると、患者名（ここでは、「佐藤  花子」）、患者ＩＤ（ここでは、「０００００２」）、検査種（ここでは、「ＭＲＩ」）、検査内容（ここでは、「腹部ＭＲＩ」）、及び、予測病名（ここでは、「脂肪肝」）を検査発行装置３に送信し（ステップＳ１１５）、依頼医名（ここでは、「田中  一郎」）、検査種、検査内容、予測病名、及び、事前確信度（ここでは、「３」）を検査情報管理装置１５０に送信する（ステップＳ１１６）。
【００９８】
検査発行装置３は、患者名、患者ＩＤ、検査種、検査内容、及び、予測病名を依頼医端末１から受信すると、検査ＩＤを決定し（ここでは、「ＭＲＩ００２」とする）、決定した検査ＩＤを検査情報管理装置１５０に送信する（ステップＳ１４１）。なお、検査発行装置３は、決定した検査ＩＤ、患者名、患者ＩＤ、検査内容、及び、予測病名を検査者端末４において表示させる。検査者は、検査者端末４の表示部に表示された患者名等を参照し、撮影モダリティ５において検査を行う。検査発行装置３は、検査者により検査が行われると、検査ＩＤ、患者ＩＤ、検査種、検査内容、予測病名、及び、検査実施日（ここでは、「２００６年５月１５日」とする）を含むレコードを検査履歴データベース（図２６参照）に蓄積する。図３４は、このときの検査履歴データベースを示す図である。図３４に示すように、検査履歴データベースの最下行には、検査ＩＤ「ＭＲＩ００２」、患者ＩＤ「０００００２」、検査種「ＭＲＩ」、検査内容「腹部ＭＲＩ」、予測病名「脂肪肝」、及び、検査実施日「２００６年５月１５日」を含む新たなレコードが追加されている。一方、撮影モダリティ５において撮影された医用画像データは、画像サーバ６に送信され、画像データベース６ａに蓄積される。また、読影レポート管理装置８において読影レポートＩＤが決定され、検査情報管理装置１０に送信される。
【００９９】
なお、本実施形態に係る医療情報管理システムの読影医が読影を行う場合における処理、及び依頼医が診断を行う場合における処理は、先に説明した第１の実施形態に係る医療情報管理システムの処理と同様である。
【０１００】
以上説明したように、本実施形態によれば、依頼医端末１において、患者に対して所定期間内に実施された検査及び患者の禁忌に該当する検査に関する警告文が表示されるとともに、患者に対して所定期間内に実施された検査及び患者の禁忌に該当する検査以外の検査に関する依頼内容適正度、読影結果確信度、読影結果有効度が表示されるので、依頼医がより適切な検査を選択することが可能となる。
【産業上の利用可能性】
【０１０１】
本発明は、医師が患者に対して行う検査内容を決定することを支援するための検査情報管理装置に利用可能である。
【図面の簡単な説明】
【０１０２】
【図１】本発明の第１の実施形態に係る検査情報管理装置を含む医療情報管理システムの構成を示す図である。
【図２】図１に示すハードディスクに格納されているデータベースの例を示す図である。
【図３】図１に示すハードディスクに格納されているデータベースの例を示す図である。
【図４】図１に示すハードディスクに格納されているデータベースの例を示す図である。
【図５】図１に示すハードディスクに格納されているデータベースの例を示す図である。
【図６】図１に示す医療情報管理システムの動作を示すフローチャートである。
【図７】図１に示す医療情報管理システムの動作を示すフローチャートである。
【図８】図１に示す依頼医端末の表示部の表示画面の例を示す図である。
【図９】図８に示す電子カルテの第１の部分を示す拡大図である。
【図１０】図８に示す電子カルテの第２の部分、検査依頼画面、及び、検査妥当性表示画面を示す拡大図である。
【図１１】図８に示す電子カルテの第２の部分、検査依頼画面、及び、検査妥当性表示画面を示す拡大図である。
【図１２】図８に示す電子カルテの第２の部分、検査依頼画面、及び、検査妥当性表示画面を示す拡大図である。
【図１３】図８に示す電子カルテの第２の部分、検査依頼画面、及び、検査妥当性表示画面を示す拡大図である。
【図１４】図１に示すハードディスクに格納されているデータベースの例を示す図である。
【図１５】図１に示す医療情報管理システムの動作を示すフローチャートである。
【図１６】図１の読影医端末の表示部に表示された読影レポート作成画面を示す図である。
【図１７】図１の読影医端末の表示部に表示された読影レポート作成画面を示す図である。
【図１８】図１の読影医端末の表示部に表示された読影レポート作成画面を示す図である。
【図１９】図１に示すハードディスクに格納されているデータベースの例を示す図である。
【図２０】図１に示す医療情報管理システムの動作を示すフローチャートである。
【図２１】図１に示す依頼医端末の表示部の表示画面の例を示す図である。
【図２２】図１に示す依頼医端末の表示部の表示画面の例を示す図である。
【図２３】図１に示す依頼医端末の表示部の表示画面の例を示す図である。
【図２４】図１に示すハードディスクに格納されているデータベースの例を示す図である。
【図２５】本発明の第２の実施形態に係る検査情報管理装置を含む医療情報管理システムの構成を示す図である。
【図２６】図２５の検査履歴データベースの例を示す図である。
【図２７】図２５に示す医療情報管理システムの動作を示すフローチャートである。
【図２８】図２５に示す医療情報管理システムの動作を示すフローチャートである。
【図２９】図２５に示す医療情報管理システムの動作を示すフローチャートである。
【図３０】図２５の依頼医端末の表示部に表示された電子カルテの第２の部分、検査依頼画面、及び、検査妥当性表示画面を示す拡大図である。
【図３１】図２５の依頼医端末の表示部に表示された電子カルテの第２の部分、検査依頼画面、及び、検査妥当性表示画面を示す拡大図である。
【図３２】図２５の依頼医端末の表示部に表示された電子カルテの第２の部分、検査依頼画面、及び、検査妥当性表示画面を示す拡大図である。
【図３３】図２５の依頼医端末の表示部に表示された読影レポート表示画面を示す図である。
【図３４】図２５の検査履歴データベースの例を示す図である。
【符号の説明】
【０１０３】
１  依頼医端末
１ａ  本体部
１ｂ  表示部
１ｃ  入力部
２  電子カルテ管理装置
２ａ  電子カルテデータベース
３  検査発行装置
３ａ  検査履歴データベース
４  検査者端末
５  撮影モダリティ
５ａ  ＣＲ装置
５ｂ  ＣＴ装置
５ｃ  ＭＲＩ装置
５ｄ  ＵＳ装置
６  画像サーバ
７  読影レポート作成装置
８  読影レポート管理装置
８ａ  読影レポートデータベース
９  病院長端末
１０、１５０  検査情報管理装置
２０、１６０  ＣＰＵ
２１  検査依頼情報取得部
２２  読影医評価情報取得部
２３  依頼医評価情報取得部
２４  検査情報管理部
２５  検査依頼事前情報取得部
２６  検査内容判定部
２７  検査内容妥当性出力部
２８  禁忌情報取得部
３１、３２  領域
４１、４２  電子カルテ
４３  検査依頼画面
４４  検査妥当性表示画面
４５  読影レポート表示画面
４６  検査評価入力画面
５１  電子カルテ保存ボタン
６１  予測病名入力欄
６２  事前確信度入力欄
６３  検査内容入力欄
６４  妥当性表示ボタン
６５  検査依頼ボタン
７１  読影レポート作成画面
７２  検査評価入力画面
８１、１０１  検査情報表示欄
８２  所見入力欄
８３  読影医診断結果入力欄
８４、１０４  キー画像表示欄
８５  読影レポート保存ボタン
９１  依頼内容適正度入力欄
９２  読影結果確信度入力欄
９３  検査評価送信ボタン
１０２  所見表示欄
１０３  読影医診断結果表示欄
１１１  読影結果有効度入力欄
１１２  検査結果送信ボタン
１２０  メモリ
１３０  ハードディスク制御部
１３１  ハードディスク
１４０  ネットワークインタフェース
【図１】
2008009589.tif 000003
【図２】
2008009589.tif 000004
【図３】
2008009589.tif 000005
【図４】
2008009589.tif 000006
【図５】
2008009589.tif 000007
【図６】
2008009589.tif 000008
【図７】
2008009589.tif 000009
【図８】
2008009589.tif 000010
【図９】
2008009589.tif 000011
【図１０】
2008009589.tif 000012
【図１１】
2008009589.tif 000013
【図１２】
2008009589.tif 000014
【図１４】
2008009589.tif 000015
【図１５】
2008009589.tif 000016
【図１６】
2008009589.tif 000017
【図１７】
2008009589.tif 000018
【図１８】
2008009589.tif 000019
【図１９】
2008009589.tif 000020
【図２０】
2008009589.tif 000021
【図２１】
2008009589.tif 000022
【図２２】
2008009589.tif 000023
【図２３】
2008009589.tif 000024
【図２４】
2008009589.tif 000025
【図２５】
2008009589.tif 000026
【図２６】
2008009589.tif 000027
【図２７】
2008009589.tif 000028
【図２８】
2008009589.tif 000029
【図２９】
2008009589.tif 000030
【図３０】
2008009589.tif 000031
【図３１】
2008009589.tif 000032
【図３２】
2008009589.tif 000033
【図３３】
2008009589.tif 000034
【図３４】
2008009589.tif 000035
【図１３】
2008009589.tif 000036